(57)【特許請求の範囲】
【請求項１】
記憶手段を有し、その記憶手段に記憶される情報に基づいて遊技内容の制御を行う主制御手段と、その主制御手段へ電力を供給する電源手段と、前記記憶手段に記憶された一部の情報に基づいて遊技者に所定の遊技価値を付与するか否かの判定を行う判定手段と、を備える遊技機において、
前記主制御手段に設けられた第１操作手段と、
前記電源手段に設けられた第２操作手段と、
その第２操作手段が操作された場合に、前記主制御手段へクリア信号を出力可能な信号出力手段とを備え、
前記主制御手段は、
前記第２操作手段の操作により前記信号出力手段から出力されたクリア信号が該主制御手段に入力された場合に、前記第１操作手段が操作されたか否かを判断する判断手段と、
前記第１操作手段が操作されたと前記判断手段によって判断された場合に、遊技者に所定の遊技価値を付与するか否かの判定に用いられる前記一部の情報を含めて前記記憶手段の内容をクリアする第１クリア手段と、
前記第１操作手段が操作されていないと前記判断手段によって判断された場合に、遊技者に所定の遊技価値を付与するか否かの判定に用いられる前記一部の情報を除いて前記記憶手段の内容をクリアする第２クリア手段とを備えていることを特徴とする遊技機。
【発明の詳細な説明】
【０００１】
【発明の属する技術分野】
本発明は、パチンコ機やスロットマシンなどに代表される遊技機に関するものである。
【０００２】
【従来の技術】
パチンコ遊技機やスロットマシン等の遊技機には、複数種類の図柄を変動表示可能な表示装置を備えており、始動条件が成立すると、変動表示を開始するように構成されている。この変動表示が予め定められた図柄の組み合わせと一致して停止すると、遊技者に所定の遊技価値が付与される。
【０００３】
ところで、遊技者に所定の遊技価値が付与されるか否かは、始動条件が成立したときに、記憶手段に記憶されている乱数カウンタの値などの一部の情報に基づいて判定される。
【０００４】
【発明が解決しようとする課題】
しかしながら、例えば遊技中に、何らかの理由により記憶手段をクリアする処理が行われると、その記憶手段に記憶された乱数カウンタの値などの所定の遊技価値を付与するか否かの判定に用いられる情報もクリアされる。その結果、遊技者に所定の遊技価値を付与するランダム性が損なわれるという問題点があった。
【０００５】
本発明は、上述した問題点を解決するためになされたものであり、遊技者に所定の遊技価値を付与するランダム性を確保することができる遊技機を提供することを目的としている。
【０００６】
【課題を解決するための手段】
この目的を達成するために請求項１記載の遊技機は、記憶手段を有し、その記憶手段に記憶される情報に基づいて遊技内容の制御を行う主制御手段と、その主制御手段へ電力を供給する電源手段と、前記記憶手段に記憶された一部の情報に基づいて遊技者に所定の遊技価値を付与するか否かの判定を行う判定手段と、を備え、前記主制御手段に設けられた第１操作手段と、前記電源手段に設けられた第２操作手段と、その第２操作手段が操作された場合に、前記主制御手段へクリア信号を出力可能な信号出力手段とを備え、前記主制御手段は、前記第２操作手段の操作により前記信号出力手段から出力されたクリア信号が該主制御手段に入力された場合に、前記第１操作手段が操作されたか否かを判断する判断手段と、前記第１操作手段が操作されたと前記判断手段によって判断された場合に、遊技者に所定の遊技価値を付与するか否かの判定に用いられる前記一部の情報を含めて前記記憶手段の内容をクリアする第１クリア手段と、前記第１操作手段が操作されていないと前記判断手段によって判断された場合に、遊技者に所定の遊技価値を付与するか否かの判定に用いられる前記一部の情報を除いて前記記憶手段の内容をクリアする第２クリア手段とを備えている。
【０００７】
【発明の実施の形態】
以下、本発明の好ましい実施例について、添付図面を参照して説明する。本実施例では、遊技機の一例として弾球遊技機の一種であるパチンコ機、特に、第１種パチンコ遊技機を用いて説明する。なお、本発明を第３種パチンコ遊技機や、コイン遊技機、スロットマシン等の他の遊技機に用いることは、当然に可能である。
【０００８】
図１は、本発明の第１実施例におけるパチンコ機Ｐの遊技盤１の正面図である。遊技盤１の周囲には、球が入賞することにより５個から１５個の球が払い出される複数の入賞口２が設けられている。また、遊技盤１の中央には、複数種類の識別情報としての図柄などを表示する液晶ディスプレイ（ＬＣＤ）３が設けられている。このＬＣＤ３の表示画面は横方向に３分割されており、３分割された各表示領域において、それぞれ右から左へ横方向にスクロールしながら図柄の変動表示が行われる。
【０００９】
ＬＣＤ３の下方には、図柄作動口（第１種始動口）４が設けられ、球がこの図柄作動口４へ入賞することにより、前記したＬＣＤ３の変動表示が開始される。図柄作動口４の下方には、特定入賞口（大入賞口）５が設けられている。この特定入賞口５は、ＬＣＤ３の変動後の表示結果が予め定められた図柄の組み合わせの１つと一致する場合に、大当たりとなって、球が入賞しやすいように所定時間（例えば、３０秒経過するまで、あるいは、球が１０個入賞するまで）開放される。
【００１０】
この特定入賞口５内には、Ｖゾーン５ａが設けられており、特定入賞口５の開放中に、球がＶゾーン５ａ内を通過すると、継続権が成立して、特定入賞口５の閉鎖後、再度、その特定入賞口５が所定時間（又は、特定入賞口５に球が所定個数入賞するまで）開放される。この特定入賞口５の開閉動作は、最高で１６回（１６ラウンド）繰り返し可能にされており、開閉動作の行われ得る状態が、いわゆる所定の遊技価値の付与された状態（特別遊技状態）である。
【００１１】
図２は、パチンコ機Ｐの電気的構成を示したブロック図であり、特に、パチンコ機Ｐの遊技内容の制御を行う主制御基板Ｃと、ＬＣＤ３の表示を制御する表示用制御基板Ｄと、後述する電源基板クリアスイッチ１８ａが設けられる電源基板Ｓとの電気的構成を示したブロック図である。
【００１２】
パチンコ機Ｐの主制御基板Ｃは、演算装置であるＭＰＵ１１と、そのＭＰＵ１１により実行される各種の制御プログラムや固定値データ等を記憶したＲＯＭ１２と、ワークメモリ等として使用されるＲＡＭ１３とを備えている。図３〜図５のフローチャートに示すプログラムは、制御プログラムの一部としてＲＯＭ１２内に記憶されている。またＲＡＭ１３には、乱数カウンタ１３ａと、現初期値メモリ１３ｂと、次初期値メモリ１３ｃとが設けられている。
【００１３】
乱数カウンタ１３ａは、大当たりの発生を決定するためのカウンタであり、図５の乱数更新処理（Ｓ６）によって、「０〜６３０」の範囲で、２ｍｓ毎に１カウントずつ更新される。遊技盤１に打ち込まれた球が図柄作動口４へ入賞したときに取得した乱数カウンタ１３ａの値が例えば「７」であると、大当たりが発生する。大当たりが発生すると、大当たりコマンドが主制御基板Ｃから後述する表示用制御基板Ｄへ送られる。表示用制御基板Ｄは、この大当たりコマンドに基づいて、ＬＣＤ３の変動表示を大当たりの状態に制御する。
【００１４】
現初期値メモリ１３ｂは、乱数カウンタ１３ａの更新中の初期値を記憶するためのメモリであり、次初期値メモリ１３ｃは、乱数カウンタ１３ａの次回の更新の初期値を記憶するためのメモリである。現初期値メモリ１３ｂ及び次初期値メモリ１３ｃは、いずれも乱数カウンタ１３ａの更新範囲と同じ「０〜６３０」の範囲内で更新される。
【００１５】
なお、次初期値メモリ１３ｃの値の更新は、図３に示すメイン処理のＳ８及びＳ９の処理において、次のＳ２の実行タイミングが到来するまでの残余時間の間、繰り返し実行される。この残余時間は、遊技の状態に応じて変化する不定な時間であるため、次初期値メモリ１３ｃの値は、ランダムに更新される。よって、かかる次初期値メモリ１３ｃの値を乱数カウンタ１３ａの更新の初期値として使用することにより、乱数カウンタ１３ａの更新の初期値をランダムに変更することができる。
【００１６】
また、乱数カウンタ１３ａの更新の初期値は、乱数カウンタ１３ａの一回り毎に更新されるため、乱数カウンタ１３ａの更新の初期値を変更しても、乱数値の一様性（連続で取得した場合に同じ値をとることがなく、しかも、すべての値が同じ確率で取り出せること）が損なわれることがない。
【００１７】
これらＭＰＵ１１、ＲＯＭ１２、ＲＡＭ１３は、アドレスバス及びデータバスで構成されるバスライン１４を介して相互に接続されている。バスライン１４は、また、入出力ポート１５にも接続されている。入出力ポート１５は、後述する電源基板Ｓや表示用制御基板Ｄに接続されるほか、主制御基板クリアスイッチ１６と他の入出力装置１７とにそれぞれ接続されている。主制御基板Ｃは、入出力ポート１５を介して、表示用制御基板Ｄや他の入出力装置１７へ動作コマンドを送り、これらを制御する。ＬＣＤ３の変動表示や特定入賞口５の開閉動作も、この動作コマンドに基づいて制御される。
【００１８】
主制御基板クリアスイッチ１６は、主制御基板ＣのＲＡＭ１３に記憶されている内容をクリアした後に初期値を設定することを指示するためのスイッチである。この主制御基板クリアスイッチ１６が押下されると、その押下信号は入出力ポート１５を介してＭＰＵ１１へ入力される。また、後述する電源基板クリアスイッチ１８ａが押下されると、電源基板Ｓから主制御基板Ｃへ、その押下を知らせるクリア信号が出力され、このクリア信号は、入出力ポート１５を介してＭＰＵ１１へ入力される。ＭＰＵ１１は、これら押下信号およびクリア信号によって、主制御基板クリアスイッチ１６と電源基板クリアスイッチ１８ａとが所定条件下で押下されたか否かを判断し、両スイッチ１６，１８ａが所定条件下で押下されたと判断すると、ＲＡＭ１３に記憶された各値１３ａ〜１３ｃを「０」クリアし、その後初期値を設定する。
【００１９】
電源基板Ｓは、各制御基板や入出力装置等へ駆動電力を供給する電源部１８を備えており、その電源部１８には、電源基板クリアスイッチ１８ａが設けられている。電源基板クリアスイッチ１８ａは、主制御基板ＣのＲＡＭ１３に記憶されている内容をクリアした後に初期値を設定することを指示するためのスイッチであり、上述したように、この電源基板クリアスイッチ１８ａの押下によりクリア信号が主制御基板Ｃへ出力される。なお、このクリア信号は、表示用制御基板Ｄや他の入出力装置にも出力される。
【００２０】
表示用制御基板Ｄは、表示装置であるＬＣＤ３による図柄の変動表示を制御するための制御基板である。この表示用制御基板Ｄは、ＭＰＵ２１と、ＲＯＭ２２と、ワークＲＡＭ２３と、ビデオＲＡＭ２４と、キャラクタＲＯＭ２５と、画像コントローラ２６と、入力ポート２７と、出力ポート２８とを備えている。入力ポート２７の入力には、主制御基板Ｃの出力が接続され、その入力ポート２７の出力は、ＭＰＵ２１、ＲＯＭ２２、ワークＲＡＭ２３、画像コントローラ２６を接続するバスライン２９と接続されている。また、画像コントローラ２６は出力ポート４８の入力に接続されており、その出力ポート４８の出力にはＬＣＤ３が接続されている。
【００２１】
表示用制御基板ＤのＭＰＵ２１は、主制御基板Ｃから送信される表示命令に基づいてＬＣＤ３の表示を制御するためのものである。ＭＰＵ２１は、主制御基板Ｃから出力される動作コマンドに応じて、ＬＣＤ３の表示制御を行うものである。ＲＯＭ２２は、そのＭＰＵ２１により実行される各種の制御プログラムや固定値データを記憶するためのメモリであり、ワークＲＡＭ２３は、ＭＰＵ２１による各種プログラムの実行時に使用されるワークデータやフラグを一時的に記憶するためのメモリである。
【００２２】
ビデオＲＡＭ２４は、ＬＣＤ３に表示される表示データを記憶するためのメモリであり、このビデオＲＡＭ２４の内容を書き替えることにより、ＬＣＤ３の表示内容が変更される。キャラクタＲＯＭ２５は、ＬＣＤ３に表示される図柄などのキャラクタデータを記憶するためのメモリである。画像コントローラ２６は、ＭＰＵ２１、ビデオＲＡＭ２４、出力ポート２８のそれぞれのタイミングを調整してデータの読み書きに介在すると共に、ビデオＲＡＭ２４に記憶される表示データを、ＭＰＵ２１の指示により、キャラクタＲＯＭ４５から所定のタイミングで読み出してＬＣＤ３に表示させるものである。
【００２３】
次に、上記のように構成されたパチンコ機Ｐで実行される各処理を、図３から図５を参照して説明する。図３は、パチンコ機Ｐの主制御基板Ｃにおいて実行されるメイン処理を示すフローチャートである。パチンコ機Ｐの主な制御は、このメイン処理によって実行される。
【００２４】
メイン処理では、まず、初期化処理が実行される（Ｓ１）。この初期化処理は、電源投入後、最初に実行される処理であり、ＲＡＭ１３の内容を一旦「０」クリアした後に初期値を設定する等といった初期化処理を行う。
【００２５】
初期化処理（Ｓ１）の実行後は、電源基板Ｓに設けられた電源基板クリアスイッチ１８ａ及び主制御基板Ｃに設けられた主制御基板クリアスイッチ１６が押下されたか否かをそれぞれ判断する（Ｓ２，Ｓ３）。判断の結果、電源基板クリアスイッチ１８ａ及び主制御基板クリアスイッチ１６の両クリアスイッチが押下されている場合には（Ｓ２：Ｙｅｓ，Ｓ３：Ｙｅｓ）、更に、これら両クリアスイッチ１６，１８ａが所定の押下条件下で押下されたか否かを判断する（Ｓ４）。両クリアスイッチ１６，１８ａの押下が所定の条件を満たしている場合には（Ｓ４：Ｙｅｓ）、これら両クリアスイッチ１６，１８ａの押下が操作者の不用意な操作（誤操作）によるものではないと判断し、ＲＡＭ１３に記憶されている値をすべて「０」クリアし、その後初期値を設定する（Ｓ５）。
【００２６】
一方、電源基板クリアスイッチ１８ａが押下されていない場合には（Ｓ２：Ｎｏ）、ＲＡＭ１３のクリアが指示されていないので、処理をＳ６へ移行する。また、Ｓ２及びＳ３の処理において、電源基板クリアスイッチ１８ａは押下されたが主制御基板クリアスイッチ１６は押下されていないと判断された場合（Ｓ２：Ｙｅｓ，Ｓ３：Ｎｏ）、及び、Ｓ２からＳ４の処理において、両クリアスイッチ１６，１８ａは押下されているが（Ｓ２：Ｙｅｓ，Ｓ３：Ｙｅｓ）、少なくともいずれか一方の押下が所定の押下条件を満たしていない場合には（Ｓ４：Ｎｏ）、両クリアスイッチ１６，１８ａは操作者による不用意な操作（誤操作）により押下された可能性があるため、ＲＡＭ１３の内容のクリア（及び、初期値の設定）をすることなく、処理をＳ６へ移行する。
【００２７】
このように、ＲＡＭ１３に記憶された値のクリア（及び、初期値の設定）は、主制御基板Ｃに設けられた主制御基板クリアスイッチ１６と電源基板Ｓに設けられた電源基板クリアスイッチ１８ａとの両クリアスイッチが共に所定の条件下で押下された場合にのみ行われる。そのため、操作者（例えば、ホールの店員等）によるクリアスイッチ１６，１８ａの不用意な操作（誤操作）によって、ＲＡＭ１３に記憶された乱数カウンタ１３ａ等の値が誤ってクリア（及び、初期値が設定）されることを回避することができ、その結果、大当たり発生の有無を決定する乱数カウンタ１３ａの値のランダム性を保持することができる。
【００２８】
また、両クリアスイッチ１６，１８ａは並列に設けられているので、例えば、ノイズの影響によって、主制御基板クリアスイッチ１６の押下信号、又は電源基板クリアスイッチ１８ａのクリア信号のいずれか一方が誤信号として出力された場合でも、他方の信号が出力されない限りＲＡＭ１３の内容がクリアされ、初期値が設定されることはない。よって、ノイズの影響等で出力された誤信号によって、ＲＡＭ１３に記憶された乱数カウンタ１３ａ等の値が誤ってクリア（及び、初期値が設定）されることを低減することができる。
【００２９】
ところで、例えば、主制御基板Ｃと電源基板Ｓとの間に、不正な基板を取り付けて、その基板から不正に生成したクリア信号を主制御基板Ｃへ出力し、ＲＡＭ１３をクリアすることにより乱数カウンタ１３ａのランダム性を不当に低下させる不正行為が考えられる。しかし、第１実施例のパチンコ機Ｐによれば、ＲＡＭ１３の内容のクリアは、主制御基板Ｃが電源基板Ｓからのクリア信号を検出し、かつ、主制御基板Ｃに設けられた主制御基板クリアスイッチ１６が押下された場合にのみ行われる。一般に、主制御基板Ｃは、基板ボックス（図示せず）内に封印されているため、主制御基板クリアスイッチ１６の押下信号を不正に生成することは不可能であり、また、主制御基板クリアスイッチ１６は、パチンコ機Ｐの裏面側に配設されているため、かかる主制御基板クリアスイッチ１６を遊技中に不正に押下することも物理的に不可能である。よって、上述した不正な基板が取り付けられた場合でも、ＲＡＭ１３に記憶された乱数カウンタ１３ａ等の値が不当にクリア（及び、初期値が設定）されることを回避して、かかる乱数カウンタ１３ａのランダム性を低下させる不正行為を防止することができる。
【００３０】
ここで、Ｓ４において判断した主制御基板クリアスイッチ１６および電源基板クリアスイッチ１８ａの押下条件について説明する。本実施例におけるパチンコ機Ｐは、両クリアスイッチ１６，１８ａの不用意な操作（誤操作）により乱数カウンタ１３ａ等の値が誤ってクリア（及び、初期値が設定）されないように、両クリアスイッチ１６，１８ａが次に示す方式で押下（操作）された場合に限って、ＲＡＭ１３の内容をクリアし、その後初期値を設定するように構成している。
【００３１】
第１の押下方式としては、主制御基板クリアスイッチ１６と電源基板クリアスイッチ１８ａとの内、少なくとも一方のクリアスイッチが所定時間（例えば、５秒）以上継続して押下された場合に限りＲＡＭ１３の内容をクリアし、初期値を設定するものである。
【００３２】
第２の押下方式としては、主制御基板クリアスイッチ１６と電源基板クリアスイッチ１８ａとの内、少なくとも一方のクリアスイッチが所定時間以内に複数回押下された場合（例えば２秒以内に２回押下された場合）に限りＲＡＭ１３の内容をクリアし、初期値を設定するものである。
【００３３】
第３の押下方式としては、主制御基板クリアスイッチ１６または電源基板クリアスイッチ１８ａの内、一方が押下されてから所定時間が経過する前に他方が押下された場合（例えば電源基板クリアスイッチ１８ａが押下されてから３秒以内に主制御基板クリアスイッチ１６が押下された場合）に限りＲＡＭ１３の内容をクリアし、初期値を設定するものである。
【００３４】
第４の押下方式としては、上述した第１から第３の押下方式をそれぞれ組み合わせたものであり、例えば、電源基板クリアスイッチ１８ａを５秒以上継続して押下し、且つ、主制御基板クリアスイッチ１６を２秒以内に２回押下した場合に限りＲＡＭ１３の内容をクリアし、初期値を設定する等が例示される。
【００３５】
このように、単に両クリアスイッチ１６，１８ａが押下された場合にＲＡＭ１３の内容をクリアし初期値を設定するのではなく、第１から第４の押下方式のように所定条件下で両クリアスイッチ１６，１８ａが押下された場合に限り、ＲＡＭ１３の内容をクリアし初期値を設定することにより、乱数カウンタ１３ａ等の値の誤クリアを防止することができ、その結果、大当たり発生の有無を決定する乱数カウンタ１３ａの値のランダム性を保持することができる。
【００３６】
両クリアスイッチ１６，１８ａの押下状態に応じてＲＡＭ１３のクリア処理を実行した後は（Ｓ２〜Ｓ５）、乱数カウンタ更新処理を実行する（Ｓ６）。ここで、図４のフローチャートを参照して、乱数カウンタ更新処理（Ｓ６）について説明する。
【００３７】
図４は、主制御基板Ｃのメイン処理の中で実行される乱数カウンタ更新処理（Ｓ６）を示すフローチャートである。この処理では、乱数カウンタ１３ａの値を「０」〜「６３０」の範囲内で「＋１」ずつ更新している。
【００３８】
まず、乱数カウンタ１３ａの値を１加算し（Ｓ１１）、乱数カウンタ１３ａの値が「６３１」以上であるか否か、即ち、乱数カウンタ１３ａの更新範囲の値を超えているか否かを調べる（Ｓ１２）。加算後の乱数カウンタ１３ａの値が「６３１」以上であれば（Ｓ１２：Ｙｅｓ）、更新範囲の値を超えているので、乱数カウンタ１３ａの値を「０」クリアする（Ｓ１３）。一方、加算後の乱数カウンタ１３ａの値が「６３０」以下であれば（Ｓ１２：Ｎｏ）、更新範囲内の値であるので、加算後の値を維持すべくＳ１３の処理をスキップして、Ｓ１４の処理へ移行する。
【００３９】
Ｓ１４の処理では、更新後の乱数カウンタ１３ａの値と現初期値メモリ１３ｂの値とが比較される。現初期値メモリ１３ｂには現在更新中の乱数カウンタ１３ａの更新の初期値が記憶されているので、両値が等しい場合には（Ｓ１４：Ｙｅｓ）、乱数カウンタ１３ａの更新は一回り終了したということである。よって、かかる場合には、乱数カウンタ１３ａの次回の更新の初期値を記憶する次初期値メモリ１３ｃの値を乱数カウンタ１３ａ及び現初期値メモリ１３ｂへ書き込み（Ｓ１５，Ｓ１６）、乱数カウンタ１３ａの更新の初期値を変更する。
【００４０】
このように、乱数カウンタ１３ａは、一回りの更新が終了する毎にその更新の初期値を変更するため、乱数の一様性（連続で取得した場合に同じ値をとることがなく、しかも、すべての値が同じ確率で取り出せること）のある乱数値を得ることができる。更に、その更新の初期値である次初期値メモリ１３ｃの値は、後述するように、遊技の状態に応じて変化する不定な時間を使用して更新される為、乱数カウンタ１３ａの更新の初期値をランダムに変更することができる。
【００４１】
一方、更新後の乱数カウンタ１３ａの値と現初期値メモリ１３ｂの値とが等しくない場合には（Ｓ１４：Ｎｏ）、乱数カウンタ１３ａの更新は未だ一回り終了していないので、Ｓ１５及びＳ１６の処理をスキップすることにより乱数カウンタ１３ａ及び現初期値メモリ１３ｂの値を維持しつつ、この乱数カウンタ更新処理を終了する。
【００４２】
図３のフローチャートに戻って説明する。Ｓ６の処理により乱数カウンタ１３ａの更新が終了した後は、処理をＳ７へ移行し、主制御基板Ｃにおいて遊技の進行を制御するための各処理（Ｓ７）が実行される。
【００４３】
各処理（Ｓ７）の終了後は、Ｓ８及びＳ９の処理によって、次のＳ２の処理の実行タイミングが到来するまでの残余時間の間、次初期値メモリ更新処理（Ｓ８）を繰り返し実行する。即ち、前回のＳ２の処理の実行から経過した時間をチェックし（Ｓ９）、チェックの結果、前回のＳ２の処理の実行から所定時間が経過していない場合には（Ｓ９：Ｎｏ）、処理をＳ８へ移行して、次初期値メモリ更新処理（Ｓ８）の実行を繰り返す。
【００４４】
ここで、Ｓ２〜Ｓ７における処理の実行時間は、遊技の状態に応じて変化するので、次のＳ２の処理の実行タイミングが到来するまでの残余時間は、一定の時間ではなく、遊技の状況に応じて変化する不定な時間になる。よって、かかる不定な時間を使用して次初期値メモリ１３ｃを繰り返し更新し、その次初期値メモリ１３ｃの値を乱数カウンタ１３ａの更新の初期値として使用することにより、乱数カウンタ１３ａの更新の初期値をランダムに変更することができる。
【００４５】
一方、Ｓ８の処理を繰り返し実行した結果、前回のＳ２の処理の実行から所定時間が経過した場合には（Ｓ９：Ｙｅｓ）、処理をＳ２へ移行し、Ｓ２〜Ｓ８の処理を繰り返し実行する。その結果、Ｓ２〜Ｓ７の処理を定期的（２ｍｓ毎）に実行しつつ、その残余時間を使用して次初期値メモリ更新処理（Ｓ８）を不定回数だけ繰り返し更新する。
【００４６】
図５は、主制御基板Ｃのメイン処理の中で実行される次初期値メモリ更新処理（Ｓ８）を示すフローチャートである。この次初期値メモリ更新処理（Ｓ８）は、図３に示したメイン処理において残余時間を使用して繰り返し実行される処理であり、乱数カウンタ１３ａの更新の初期値を記憶する次初期値メモリ１３ｃの値を、乱数カウンタ１３ａの更新範囲の「０」〜「６３０」の範囲内で「＋１」ずつ更新する。
【００４７】
まず、次初期値メモリ１３ｃの値を１加算し（Ｓ２１）、次初期値メモリ１３ｃの値が「６３１」以上であるか否か、即ち、乱数カウンタ１３ａの更新範囲の値を超えているか否かを調べる（Ｓ２２）。加算後の次初期値メモリ１３ｃの値が「６３１」以上であれば（Ｓ２２：Ｙｅｓ）、更新範囲の値を超えているので、次初期値メモリ１３ｃの値を「０」クリアする（Ｓ２３）。一方、加算後の次初期値メモリ１３ｃの値が「６３０」以下であれば（Ｓ２２：Ｎｏ）、更新範囲内の値であるので、加算後の値を維持すべくＳ２３の処理をスキップして、この次初期値メモリ更新処理を終了する。
【００４８】
次に、図６を参照して第２実施例について説明する。第１実施例のパチンコ機Ｐでは、ＲＡＭ１３に記憶された値をすべてクリアし初期値を設定するように構成されたのに対して（Ｓ５）、第２実施例のパチンコ機Ｐでは、ＲＡＭ１３の内容をすべてクリアし初期値を設定する処理（Ｓ５）のみならず、特定の値だけをＲＡＭ１３からクリアし初期値を設定する処理（Ｓ３２）をも備えて構成されている。なお、前記した第１実施例と同一の部分には同一の符号を付して、その説明は省略する。
【００４９】
図６は、第２実施例におけるパチンコ機Ｐの主制御基板Ｃにおいて実行されるメイン処理を示すフローチャートである。メイン処理では、まず、初期化処理を実行した後（Ｓ１）、Ｓ２からＳ４の処理を実行して、電源基板クリアスイッチ１８ａと主制御基板クリアスイッチ１６とがそれぞれ所定の条件下で押下されているか否かを判断する。その結果、Ｓ２からＳ４の条件を満たしていると判断された場合には、第１実施例の場合と同様に、両クリアスイッチ１６，１８ａの押下が操作者の不用意な操作（誤操作）によるものではないと判断し、ＲＡＭ１３に記憶されている値をすべて「０」クリアし、その後、初期値を設定する（Ｓ５）。
【００５０】
一方、Ｓ２及びＳ３の処理において、電源基板クリアスイッチ１８ａのみが押下されたと判断された場合には（Ｓ２：Ｙｅｓ，Ｓ３：Ｎｏ）、操作者による不用意な操作（誤操作）により電源基板クリアスイッチ１８ａが押下されたか否かを確認すべく、押下された電源基板クリアスイッチ１８ａが所定の押下条件を満たしているか否かを判断する（Ｓ３１）。判断の結果、電源基板クリアスイッチ１８ａが所定の条件下で押下されている場合には（Ｓ３１：Ｙｅｓ）、操作者による不用意な操作（誤操作）ではなく、且つ、乱数カウンタ１３ａ、現初期値メモリ１３ｂ及び次初期値メモリ１３ｃの値はクリアしないことを意図した指示であるため、これら乱数カウンタ１３ａ、現初期値メモリ１３ｂ及び次初期値メモリ１３ｃ以外の値をＲＡＭ１３から「０」クリアし、その後初期値を設定する（Ｓ３２）。
【００５１】
また、Ｓ２からＳ４の処理において、両クリアスイッチ１６，１８ａが共に押下されていると判断されたが（Ｓ２：Ｙｅｓ，Ｓ３：Ｙｅｓ）、その両クリアスイッチ１６，１８ａの内、少なくとも一方のスイッチが所定の条件下で押下されていないと判断された場合には（Ｓ４：Ｎｏ）、更に、電源基板クリアスイッチ１８ａの押下が所定の押下条件を満たしているか否かを判断する（Ｓ３１）。判断の結果、電源基板クリアスイッチ１８ａだけが所定の条件下で押下されている場合には（Ｓ３１：Ｙｅｓ）、操作者による不用意な操作（誤操作）ではなく、且つ、乱数カウンタ１３ａ、現初期値メモリ１３ｂ及び次初期値メモリ１３ｃの値はクリアしないことを意図した指示であるため、これら乱数カウンタ１３ａ、現初期値メモリ１３ｂ及び次初期値メモリ１３ｃ以外の値をＲＡＭ１３から「０」クリアし、その後初期値を設定する（Ｓ３２）。
【００５２】
一方、Ｓ３１の処理において、電源基板クリアスイッチ３１が所定の条件下で押下されていないと判断された場合には（Ｓ３１：Ｎｏ）、操作者の不用意な操作（誤操作）によって、電源基板クリアスイッチ１８ａ又は両クリアスイッチ１６，１８ａが押下されたものと判断し、ＲＡＭ１３に記憶されている値を「０」クリア（及び、初期値を設定）することなく、Ｓ６の処理に移行する。
【００５３】
このように、第２実施例におけるパチンコ機Ｐは、電源基板クリアスイッチ１８ａだけを所定の条件下で押下することにより、乱数カウンタ１３ａ、現初期値メモリ１３ｂ及び次初期値メモリ１３ｃの各値を保持しつつ、これら乱数カウンタ１３ａ、現初期値メモリ１３ｂ及び次初期値メモリ１３ｃ以外の値をＲＡＭ１３から「０」クリアし、初期値を設定することができる。よって、ＲＡＭ１３の内容をクリアする必要が生じた場合にも、乱数カウンタ１３ａ等の値を保持しておくことができ、その結果、大当たり発生の有無を決定する乱数カウンタ１３ａの値のランダム性を保持することができる。
【００５４】
一方、電源基板クリアスイッチ１８ａのみの押下でＲＡＭ１３の内容をクリアすることができるため、例えば、主制御基板Ｃと電源基板Ｓとの間に取り付けられた不正な基板から不正に生成したクリア信号を主制御基板Ｃへ出力する不正が行われた場合には、ＲＡＭ１３の内容がクリアされてしまう。しかし、上述したように、この場合（即ち、電源基板クリアスイッチ１８ａだけが所定条件下で押下された場合）には、乱数カウンタ１３ａ等の値は保持されるので、乱数カウンタ１３ａ等の値が不当にクリアされることを回避することができ、その結果、かかる乱数カウンタ１３ａのランダム性を低下させる不正行為を防止することができる。
【００５５】
また、両クリアスイッチ１６，１８ａの押下条件によって、２種類のクリア処理（Ｓ５及びＳ３２）を選択的に作動させることができる。よって、操作者（例えば、ホールの店員等）に対して、一方（電源基板クリアスイッチ１８ａ）の押下条件のみを公開し、他方（主制御基板クリアスイッチ１６）の押下条件を秘密にすることより、乱数カウンタ１３ａ等の値をクリアする機能を秘密にしつつパチンコ機Ｐに搭載することができる。
【００５６】
ここで、第２実施例における主制御基板クリアスイッチ１６および電源基板クリアスイッチ１８ａの押下条件は、第１実施例において説明した場合と同様であり、上述した第１から第４の押下方式を適用することができる。
【００５７】
なお、図６に示すフローチャートにおいて、請求項１記載の第１クリア手段としてはＳ５の処理が該当し、同第２クリア手段としてはＳ３２の処理が該当する。また、請求項１において記載したクリアとは、ＲＡＭ１３の内容を「０」クリアする処理に限られるわけでなく、上記各実施例において説明したように、「０」クリアした後に初期値を設定する処理、即ち、いわゆる初期化処理をも含む趣旨である。この趣旨は、以下に示す変形例においても適用される。
【００５８】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５９】
例えば、上記各実施例では、電源基板クリアスイッチ１８ａが電源基板Ｓに設けられた場合を説明した。しかし、電源基板クリアスイッチ１８ａは、電源基板Ｓに直接設ける必要はなく、少なくとも主制御基板Ｃへ信号を出力することができる電気的に上流側の位置であれば、電源基板Ｓ以外の他の場所に設けるようにしても良い。例えば、主制御基板Ｃ等と電源基板Ｓとを電気的に接続する中継基板（信号出力手段）が設けられている場合には、その中継基板上に電源基板クリアスイッチ１８ａを設けるようにしても良い。
【００６０】
上記各実施例では、主制御基板クリアスイッチ１６と電源基板クリアスイッチ１８ａとが、主制御基板Ｃと電源基板Ｓとにそれぞれ１個ずつ設けられた場合を説明した。しかし、各クリアスイッチ１６，１８ａは、必ずしも１個である必要はなく、各基板Ｃ，Ｓのそれぞれ或いはいずれかのクリアスイッチ１６，１８ａを、２以上のクリアスイッチで構成し、これらを直列又は並列に接続するように構成しても良い。また、各クリアスイッチ１６，１８ａとしては、押しボタンスイッチ、ロック付き押しボタンスイッチ、スライドスイッチ、トグルスイッチ等を使用することができる。なお、当然のことながら、クリアスイッチ１６，１８ａが、例えばスライドスイッチにより構成された場合には、上記各実施例又は後述する変形例等におけるクリアスイッチ１６，１８ａの「押下」なる文言は、スライドスイッチを「オン」又は「オフ」する操作に対応する。
【００６１】
上記各実施例では、主制御基板クリアスイッチ１６と電源基板クリアスイッチ１８ａとが所定の条件下で押下された場合に限りＲＡＭ１３のクリア処理（Ｓ５又はＳ３２）が実行される場合を説明し、その所定の条件として、第１から第４の押下方式を記載した。しかし、この第１から第４の押下方式は、一例として例示したものであり、他の押下方式を適用することは当然に可能である。
【００６２】
上記各実施例では、電源基板クリアスイッチ１８ａが押下された場合、電源基板Ｓから主制御基板Ｃへクリア信号が必ず出力され、そのクリア信号に基づいて電源基板クリアスイッチ１８ａが所定の条件下で押下されたか否かを主制御基板Ｃが判断した。しかし、電源基板クリアスイッチ１８ａが所定の条件下で押下されたか否かは、電源基板Ｓが判断し、所定の条件を満たしている場合に限り電源基板Ｓから主制御基板Ｃへクリア信号を出力するように構成しても良い。主制御基板Ｃ（ＭＰＵ１１）は、電源基板クリアスイッチ１８ａの押下条件を判断する必要がなくなり、主制御基板クリアスイッチ１６の押下条件だけを判断すれば良いため、その分、制御負担を軽減することができ、主制御基板Ｃで実行される他の制御に支障を来してしまうことを防止することができる。
【００６３】
上記第２実施例では、ＲＡＭ１３をクリアするＳ３２の処理において、乱数カウンタ１３ａ及び現初期値メモリ１３ｂの値と共に次初期値メモリ１３ｃの値も保持されるように構成した。しかし、少なくとも乱数カウンタ１３ａ及び現初期値メモリ１３ｂの値が保持されていれば、Ｓ３２の処理において、次初期値メモリ１３ｃの値をクリアするようにしても良い。この場合には、乱数カウンタ更新処理（Ｓ６）において１加算された乱数カウンタ１３ａの値が現初期値メモリ１３ｂの値と一致すると、乱数カウンタ１３ａの更新の初期値が０クリアされた次初期値メモリ１３ｃの値に変更され、乱数カウンタ１３ａの値のランダム性が低下する可能性がある。よって、図６に示したメイン処理において、Ｓ６の処理をＳ３２の処理よりも先に実行するように構成し、乱数カウンタ１３ａの値のランダム性を確実に保持することができるようにすることが望ましい。
【００６４】
また、乱数カウンタ１３ａの値は、定期的（例えば２ｍｓ毎）に更新される場合を説明したが、必ずしも定期的に更新される必要はなく、不定期に更新されても良い。即ち、請求項１において記載した所定のタイミングとは、定期的なタイミングだけでなく不定期なタイミングをも含む意味である。
【００６５】
本発明を上記実施例とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として特別遊技状態となるパチンコ機として実施しても良い。更に、パチンコ機以外にも、アレパチ、雀球、スロットマシン、いわゆるパチンコ機とスロットマシンとが融合した遊技機などの各種遊技機として実施するようにしても良い。
【００６６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、或いは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００６７】
また、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に有利な大当たり状態が発生させられ、遊技者には、下部の受皿に多量の球が払い出されるものである。
【００６８】
以下に本発明の変形例を示す。請求項１記載の遊技機において、各制御手段へ信号を出力可能な信号出力手段を備えており、前記クリア手段の２以上のスイッチ手段は、前記主制御手段と信号出力手段とにそれぞれ設けられていることを特徴とする遊技機１。なお、２以上のスイッチ手段を、主制御手段と信号出力手段とにそれぞれ１又は２以上設けるように構成しても良い。また、例えば電源手段を信号出力手段としても良く、或いは、電源手段と他の制御手段等とを電気的に接続する中継手段を信号出力手段としても良い。
【００６９】
請求項１記載の遊技機、又は遊技機１において、前記クリア手段は、前記電源手段に設けられたスイッチ手段の押下により信号出力手段から主制御手段へクリア信号を出力し、そのクリア信号が前記主制御手段に入力され、かつ、その主制御手段に設けられたスイッチ手段が押下された場合に前記記憶手段の内容をクリアするものであることを特徴とする遊技機２。クリア手段は、信号出力手段からクリア信号が出力されると、主制御手段に設けられたスイッチ手段が押下された場合に限り、記憶手段の内容をクリアする。よって、例えば、スイッチ手段の誤操作により記憶手段の内容がクリアされることを防止でき、その結果、乱数カウンタのランダム性を保持することができる。また、例えば、不正行為の目的で信号出力手段から不正なクリア信号が出力された場合にも、記憶手段の内容は、主制御手段に設けられたスイッチ手段が押下された場合に限りクリアされるので、この場合においても、乱数カウンタのランダム性を保持することができる。
【００７０】
請求項１記載の遊技機、又は遊技機１又は２において、前記クリア手段は、前記スイッチ手段が所定の条件下で押下された場合に作動するものであることを特徴とする遊技機３。なお、所定の条件とは、スイッチ手段が、所定の順序で、或いは、同時に、１回又は複数回、所定時間以上継続して、或いは、所定時間内に押下された場合であり、例えば、次に示す場合が例示される。（１）２以上設けられたスイッチ手段の内、少なくとも１つが所定時間以上継続して押下された場合。（２）２以上設けられたスイッチ手段の内、少なくとも１つが所定時間内に複数回押下された場合。（３）主制御手段または信号出力手段の一方に設けられたスイッチ手段が押下されてから所定時間が経過する前に他方に設けられたスイッチ手段が押下された場合。（４）これら（（１）〜（３））を組み合わせた場合。
【００７１】
請求項１記載の遊技機、又は遊技機１から３のいずれかにおいて、前記クリア手段は、前記スイッチ手段が第１の条件下で押下された場合に、前記主制御手段の記憶手段の内容を全てクリアするものであることを特徴とする遊技機４。ここで、スイッチ手段が第１の条件下で押下された場合とは、例えば、遊技機３において説明した所定の条件（１）〜（４）を満たしてスイッチ手段が押下された場合が例示される。
【００７２】
請求項１記載の遊技機、又は遊技機１から４のいずれかにおいて、前記クリア手段は、前記スイッチ手段が第２の条件下で押下された場合に、少なくとも前記乱数カウンタの値を除く前記主制御手段の記憶手段の内容をクリアするものであることを特徴とする遊技機５。ここで、スイッチ手段が第２の条件下で押下された場合とは、遊技機４と同様に、遊技機３において説明した所定の条件（１）〜（４）を満たしてスイッチ手段が押下された場合が例示される。但し、第２の条件が満たすべき所定の条件は、当然ながら、上記第１の条件が満たすべき所定の条件とは異なる。
【００７３】
遊技機５において、前記主制御手段の記憶手段は、前記乱数カウンタの初期値の変更時期を記憶する初期値メモリを備え、前記乱数カウンタは、その初期値メモリの値まで更新された場合に、更新の初期値を変更するものであり、前記クリア手段は、前記スイッチ手段が第２の条件下で押下された場合に、少なくとも前記乱数カウンタ及び初期値メモリの値を除く前記主制御手段の記憶手段の内容をクリアするものであることを特徴とする遊技機６。
【００７４】
請求項１記載の遊技機、又は遊技機１から６のいずれかにおいて、前記クリア手段は、前記記憶手段の内容をクリアすると共に、前記主制御手段をリセットして、その主制御基板を初期状態に復帰させるものであることを特徴とする遊技機７。クリア手段により、記憶手段の内容をクリアすると共に、主制御基板をリセットして初期状態に復帰させることができるので、遊技機が暴走した場合など、その暴走を簡単に停止して、初期状態に復帰することができる。なお、この場合、他の制御手段をも同時にリセットして、遊技機全体を初期状態に復帰させるようにしても良い。
【００７５】
請求項１記載の遊技機または遊技機１から７のいずれかにおいて、前記遊技機はパチンコ機であることを特徴とする遊技機８。中でも、パチンコ機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において変動表示されている識別情報が所定時間後に確定停止されるものが挙げられる。また、特別遊技状態の出力時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれる情報等も含む）が付与されるものが挙げられる。
【００７６】
請求項１記載の遊技機または遊技機１から７のいずれかにおいて、前記遊技機はスロットマシンであることを特徴とする遊技機９。中でも、スロットマシンの基本構成としては、「複数の識別情報からなる識別情報列を変動表示した後に識別情報を確定表示する可変表示手段を備え、始動用操作手段（例えば操作レバー）の操作に起因して、或いは、所定時間経過することにより、識別情報の変動が停止され、その停止時の確定識別情報が特定識別情報であることを必要条件として、遊技者に有利な特別遊技状態を出力させる特別遊技状態出力手段とを備えた遊技機」となる。この場合、遊技媒体はコイン、メダル等が代表例として挙げられる。
【００７７】
請求項１記載の遊技機または遊技機１から７のいずれかにおいて、前記遊技機はパチンコ機とスロットマシンとを融合させたものであることを特徴とする遊技機１０。中でも、融合させた遊技機の基本構成としては、「複数の識別情報からなる識別情報列を変動表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより識別情報の変動が停止され、その停止時の確定識別情報が特定識別情報であることを必要条件として、遊技者に有利な特別遊技状態を出力させる特別遊技状態出力手段とを備え、遊技媒体として球を使用すると共に、前記識別情報の変動開始に際しては所定数の球を必要とし、特別遊技状態の出力に際しては多くの球が払い出されるように構成されている遊技機」となる。
【００７８】
【発明の効果】
請求項１記載の遊技機によれば、記憶手段を有し、その記憶手段に記憶される情報に基づいて遊技内容の制御を行う主制御手段と、その主制御手段へ電力を供給する電源手段と、前記記憶手段に記憶された一部の情報に基づいて遊技者に所定の遊技価値を付与するか否かの判定を行う判定手段と、を備え、前記主制御手段に設けられた第１操作手段と、前記電源手段に設けられた第２操作手段と、その第２操作手段が操作された場合に、前記主制御手段へクリア信号を出力可能な信号出力手段とを備え、前記主制御手段は、前記第２操作手段の操作により前記信号出力手段から出力されたクリア信号が該主制御手段に入力された場合に、前記第１操作手段が操作されたか否かを判断する判断手段と、前記第１操作手段が操作されたと前記判断手段によって判断された場合に、遊技者に所定の遊技価値を付与するか否かの判定に用いられる前記一部の情報を含めて前記記憶手段の内容をクリアする第１クリア手段と、前記第１操作手段が操作されていないと前記判断手段によって判断された場合に、遊技者に所定の遊技価値を付与するか否かの判定に用いられる前記一部の情報を除いて前記記憶手段の内容をクリアする第２クリア手段とを備えている。よって、遊技者に所定の遊技価値を付与するランダム性を確保することができるという効果がある。
【図面の簡単な説明】
【図１】  本発明の第１実施例におけるパチンコ機の遊技盤の正面図である。
【図２】  パチンコ機の電気的構成を示したブロック図である。
【図３】  メイン処理を示すフローチャートである。
【図４】  乱数カウンタ更新処理を示すフローチャートである。
【図５】  次初期値メモリ更新処理を示すフローチャートである。
【図６】  第２実施例におけるメイン処理を示すフローチャートである。
【符号の説明】
１３                    ＲＡＭ（記憶手段）
１３ａ                  乱数カウンタ
１６                    主制御基板クリアスイッチ（第１操作手段）
１８ａ                  電源基板クリアスイッチ（第２操作手段）
Ｐ                      パチンコ機（遊技機）
Ｃ                      主制御基板（主制御手段）
Ｓ                      電源基板（電源手段，出力手段）
Ｓ３                    判断手段
Ｓ５                    第１クリア手段
Ｓ３２                  第２クリア手段
【図１】
0005007483.tif 000002
【図２】
0005007483.tif 000003
【図３】
0005007483.tif 000004
【図４】
0005007483.tif 000005
【図５】
0005007483.tif 000006
【図６】
0005007483.tif 000007